(57)【要約】      （修正有）【課題】シートロール収納ラック上に収納されたシートロールから、フロアシートを軽く簡単に引き出して、床上に敷くことができるシートロールの支持装置を提供する。【解決手段】支持装置１Ｌ、１Ｒは、シートロールＲの両端から突出した巻取芯２０の芯端部２１を、下側から回転可能に支持する下支持ローラ３と、芯端部２１をフロアシートの引き出し側から支持する前支持ローラ４と、下支持ローラ３及び前支持ローラ４を水平且つ平行に、回転可能に軸支する本体フレーム２と、を備える。本体フレーム２の下部に、シートロール収納ラックに設けた被嵌合部と嵌合する嵌合部６が設けられる。【選択図】図１
0003227768.tif 000002
【実用新案登録請求の範囲】
【請求項１】
フロアシートを巻取芯に巻き取ったシートロールを収納するシートロール収納ラックに装着して使用され、該巻取芯の両側の芯端部を回転可能に支持するシートロールの支持装置であって、
該シートロールの両端から突出した巻取芯の芯端部を、下側から回転可能に支持する下支持ローラと、
該芯端部を該フロアシートの引き出し側から支持する前支持ローラと、
該下支持ローラ及び該前支持ローラを水平且つ平行に、回転可能に軸支する本体フレームと、
を備え、該本体フレームの下部に、該シートロール収納ラックの両側に設けた被嵌合部と嵌合する嵌合部が設けられたことを特徴とするシートロールの支持装置。
【請求項２】
前記本体フレームには、前記巻取芯の芯端部の端面の一部を覆うガイド部が設けられたことを特徴とする請求項１記載のシートロールの支持装置。
【請求項３】
前記本体フレームの前記嵌合部は該本体フレームから側壁部を両下側に延設して設けられ、該嵌合部の該両側壁部の下部が、前記シートロール収納ラックの前記被嵌合部の両側を囲むように、下バーにより連結されたことを特徴とする請求項１記載のシートロールの支持装置。
【請求項４】
前記嵌合部の内側に嵌合凸部が設けられ、前記シートロール収納ラックの前記被嵌合部に嵌合凹部が設けられ、該嵌合部が該被嵌合部に嵌合される際、該嵌合凸部が該嵌合凹部に嵌合することを特徴とする請求項３記載のシートロールの支持装置。
【考案の詳細な説明】
【技術分野】
【０００１】
本考案は、フロアシートを巻取心に巻き取った状態のシートロールを、回転可能に支持するシートロールの支持装置に関し、特にシートロール収納ラックに取り付けて使用され、フロアシートを引き出し可能に、シートロールを支持するシートロールの支持装置に関する。
【背景技術】
【０００２】
体育館などで使用される長尺のフロアシートは、使用された後、一般に、下記特許文献１に示す構造のシート巻取機等により、巻取芯の外周に巻き取られる。巻き取られた複数のシートロールは、シートロール収納ラック上に載置され、次の使用時まで、収納保管される。
【先行技術文献】
【特許文献】
【０００３】
【特許文献１】特開２００４−３０７１６４号公報
【考案の概要】
【考案が解決しようとする課題】
【０００４】
このため、体育館などでフロアシートを使用する際には、相当重い重量のシートロールを、収納ラックから取り出し、体育館の所定の位置まで運び、シートロールの端部を持って、フロアシートを引き出し、体育館の床に敷く作業を行うこととなり、かなりの人手と労力を必要としていた。
【０００５】
本考案は、上述の課題を解決するものであり、シートロール収納ラック上に収納されたシートロールから、フロアシートを軽く簡単に引き出して、床上に敷くことができるシートロールの支持装置を提供することを目的とする。
【課題を解決するための手段】
【０００６】
本考案に係るシートロールの支持装置は、フロアシートを巻取芯に巻き取ったシートロールを収納するシートロール収納ラックに装着して使用され、該巻取芯の両側の芯端部を回転可能に支持するシートロールの支持装置であって、
該シートロールの両端から突出した巻取芯の芯端部を、下側から回転可能に支持する下支持ローラと、
該芯端部を該フロアシートの引き出し側から支持する前支持ローラと、
該下支持ローラ及び該前支持ローラを水平且つ平行に、回転可能に軸支する本体フレームと、
を備え、該本体フレームの下部に、該シートロール収納ラックに設けた被嵌合部と嵌合する嵌合部が設けられたことを特徴とする。
【０００７】
シートロールからフロアシートを引き出す際、シートロール収納ラックの両側に設けた被嵌合部に、本体フレームの嵌合部を嵌合させて、支持装置を両側に取り付け、シートロール収納ラックに収納されていたシートロールの両側の芯端部を、本体フレームの下支持ローラ上に載置する。
【０００８】
その状態で、シートロールからフロアシートの端部を持って引き出すと、シートロールが下支持ローラと前支持ローラにより支持されながら、従動回転し、フロアシートが、シートロールから軽い引き出し力で、簡単に引き出される。
【０００９】
シートロールの引き出しが終わると、その巻取芯を支持装置から外し、新たなシートロールを、収納ラックの収納位置から支持装置の下支持ローラ上に載置するのみで、次のシートロールからフロアシートを引き出すことができる。
【００１０】
ここで、上記本体フレームには、上記巻取芯の芯端部の端面の一部を覆うガイド部を設けることができる。このガイド部を設けることにより、巻取芯の両側の芯端部の端面位置が、ガイド部により規制され、シートロールの両側に突出した芯端部が、回転時、常に支持装置の適正位置に位置することができる。
【００１１】
またここで、上記本体フレームの上記嵌合部は本体フレームから側壁部を両下側に延設して形成され、嵌合部の両側壁部の下部が、上記シートロール収納ラックの上記被嵌合部の両側を囲むように、下バーにより連結された構成とすることができる。これにより、嵌合部が外れにくくなり、フロアシートの引き出し作動時に、本体フレームが上下動して、嵌合部が被嵌合部から外れる不具合を防止することができる。
【００１２】
またここで、上記嵌合部の内側に嵌合凸部が設けられ、上記シートロール収納ラックの上記被嵌合部に嵌合凹部が設けられ、該嵌合部が該被嵌合部に嵌合される際、該嵌合凸部が該嵌合凹部に嵌合する構成とすることができる。これにより、本体フレームをシートロール収納ラック上の所定位置に、簡単に位置決めして装着することができる。
【考案の効果】
【００１３】
この考案のシートロールの支持装置によれば、シートロール収納ラックに収納されたシートロールから、フロアシートを軽く簡単に引き出して、床上に敷くことができる。
【図面の簡単な説明】
【００１４】
【図１】本考案のシートロールの支持装置の一実施形態を示す斜視図である。
【図２】（ａ）は左側の支持装置の正面図、（ｂ）はその左側面図、（ｃ）はその平面図である。
【図３】使用状態を示す、図５のIII-III断面図である。
【図４】支持装置の嵌合部をシートロール収納ラックの被嵌合部に嵌め込む際の説明図である。
【図５】使用状態のシートロール収納ラックの正面図である。
【図６】使用状態のシートロール収納ラックの右側面図である。
【考案を実施するための形態】
【００１５】
以下、本考案の一実施形態を図面に基づいて説明する。この支持装置は、フロアシートを巻取芯に巻き取った状態のシートロールＲを、シートロール収納ラック１０上で、回転可能に支持する装置であり、図１に示すように、左右一対の支持装置１Ｒ，１Ｌから構成される。
【００１６】
一対の支持装置１Ｒ，１Ｌは、左右対称形に構成され、図５に示す如く、シートロールＲを収納するシートロール収納ラック１０に装着して使用される。収納されたシートロールＲの巻取芯２０の芯端部２１は、フロアシートの引き出し時、シートロール収納ラック１０上の支持装置１Ｒ，１Ｌにより、回転可能に支持される。
【００１７】
支持装置１Ｒ，１Ｌは左右対称形で、同様な構成を有するため、以下、図２を参照しつつ、左側の支持装置１Ｌを説明し、右側の支持装置１Ｒについては、図１に符号のみを付して、その説明は省略する。
【００１８】
図２に示すように、左の支持装置１Ｌは、本体フレーム２の下部に、シートロール収納ラック１０に設けた被嵌合部１４と嵌合する嵌合部６を設け、シートロールＲの両端から突出した巻取芯２０の芯端部２１を、下側から回転可能に支持する下支持ローラ３を本体フレーム２内に軸支し、芯端部２１をフロアシートの引き出し側で支持する前支持ローラ４が、本体フレーム２上に前部に軸支される。本体フレーム２の両側側壁部７の上部に、芯端部２１を挿入するための半円形凹部２ａが開口形成され、半円形凹部２ａの下側に下支持ローラ３が軸支され、その前側に前支持ローラ４が軸支される。
【００１９】
下支持ローラ３と前支持ローラ４は、本体フレーム２上で、水平且つ平行に、回転可能に軸支される。本体フレーム２の両側の側壁部７は下側に延設され、本体フレーム２の下側の部分が、図３に示すように、シートロール収納ラック１０の被嵌合部１４に嵌合するように、嵌合部６を形成している。さらに、嵌合部６両側の側壁部７の下部は、下バー８により連結され、本体フレーム２の嵌合部６をシートロール収納ラック１０の被嵌合部１４に嵌合させたとき、容易に外れないようになっている。
【００２０】
図２に示すように、本体フレーム２の上部の右外側、つまり、巻取芯２０の芯端部２１を挿入するために、上に開口した半円形凹部２ａの側壁部７の外側に、ガイド部５が設けられる。このガイド部５は、芯端部２１の端面の一部を外側から覆うように、略三日月形に形成され、半円形凹部２ａの下側近傍に沿って設けられる。このガイド部５を設けることにより、巻取芯２０の両側の芯端部２１の端面が、ガイド部５に当たってその位置が規制され、シートロールＲの両側に突出した芯端部２１が、回転時、常に支持装置１Ｌの適正位置になるようになっている。なお、ガイド部は、側壁部７の一部を、半円形凹部２ａ側にせり出すように形成してもよい。
【００２１】
さらに、図２に示すように、本体フレーム２下部の嵌合部６の内側に、嵌合凸部９が設けられる。嵌合凸部９は、図３に示す如く、本体フレーム２下部の嵌合部６がシートロール収納ラック１０の両側に設けた被嵌合部１４に嵌合する際、嵌合部６が適正位置に嵌合するように、嵌合凸部９が被嵌合部１４上に設けた嵌合凹部１６に嵌入し、位置決めされる。
【００２２】
なお、上記では、左側の支持装置１Ｌについて説明したが、支持装置１Ｌと１Ｒは左右対称形であり、右側の支持装置１Ｒの構造も上記と同様である。
【００２３】
図５に示すように、シートロール収納ラック１０は、平面視を長方形とする台車フレーム１９上に、支柱基台１１を立設し、支柱基台１１の両側に、複数の水平支持部１２を上下に間隔をおいて水平に固定して構成される。複数の水平支持部１２上には、複数の嵌合凹部１６が一定の間隔で設けられ、各嵌合凹部１６の位置が、シートロール収納ラック１０の収納位置となる。嵌合凹部１６は、支持装置１Ｌ、１Ｒの嵌合凸部９が定位置に載置されて嵌合する。また、支持装置１を付けずに、シートロールＲの芯端部２１を嵌合凹部１６上に載置したとき、芯端部２１が静止して保持されるように形成される。台車フレーム１９にはキャスター１５が取り付けられ、移動可能である。
【００２４】
次に、上記構成のシートロールの支持装置の動作を説明する。体育館などで使用される長尺のフロアシートは、使用された後、シート巻取機等により、巻取芯２０の外周に巻き取られ、巻き取られたシートロールＲは、シートロール収納ラック１０の水平支持部１２上に載置され、次の使用時まで、収納保管される。
【００２５】
体育館等の床にフロアシートを敷く場合、図５に示すように、水平支持部１２の端部に位置する嵌合凹部１６の箇所の左右両側に、支持装置１Ｌ，１Ｒを載置し嵌合させる。このとき、その部分にシートロールＲが載置されている場合、そのシートロールＲを水平支持部１２から一旦外し、その位置に、支持装置１Ｌ，１Ｒを、図３のように、嵌合部６が水平支持部１２の被嵌合部１４の周囲を囲む形態で嵌合させ、その内側の嵌合凸部９を水平支持部１２の嵌合凹部１６に嵌合させる。
【００２６】
これにより、左右の支持装置１Ｌ，１Ｒは、水平支持部１２上の所定位置に、正確に位置決めされて簡単に取り付けられる。また、支持装置１Ｌ，１Ｒの本体フレーム２は、その嵌合部６が水平支持部１２の周囲を囲むように嵌合し、且つ嵌合部６の内側の嵌合凸部９が水平支持部１２の嵌合凹部１６に嵌合する。このため、フロアシートの引き出し時に、引っ張り荷重、揺動、振動などが支持装置１Ｌ，１Ｒに発生した場合でも、支持装置１Ｌ，１Ｒの外れを防止することができる。
【００２７】
そして、図１、図５に示すように、シートロールＲの巻取芯２０の両側の芯端部２１を、左右の支持装置１Ｌ，１Ｒの本体フレーム２上の半円形凹部に挿入する。これにより、巻取芯２０の芯端部２１は下支持ローラ３上に、回転可能に支持され、図５に示す如く、シートロールＲの下側からその端部を持って、前方に引き出して引けば、シートロールＲが従動回転しながらフロアシートが前方（図５の左側）に引き出される。
【００２８】
なお、使用者が誤って、シートロールＲの上側から端部を持って引き出した場合、シートロールＲは、前方への移動力を受けるが、前支持ローラ４がこの移動力を受けて、芯端部２１を回転可能に保持し、シートロールＲは、支持装置１Ｌ，１Ｒにより、安全に保持されながら従動回転する。
【００２９】
当該シートロールＲからフロアシートを引き出した後、その巻取芯２０を支持装置１Ｌ，１Ｒから外し、次に引き出すシートロールＲの芯端部２１を、上記と同様に、支持装置１Ｌ，１Ｒの本体フレーム２上の半円形凹部２ａに挿入してセットする。
【００３０】
例えば、図５に示すように、シートロール収納ラック１０の全ての載置位置にシートロールＲが収納されている場合、先ず、最上段の左端の載置位置のシートロールＲからフロアシートを引き出し、最上段のシートロールＲの引き出しが終了した後、次にその下の段のシートロールＲの引き出しを行うこととなる。
【００３１】
そして、上記と同様に、シートロールＲの端部を持って引けば、シートロールＲが従動回転しながらフロアシートが前方（図５の左側）に引き出される。このようにして、シートロール収納ラック１０上の全てのシートロールＲからフロアシートを、効率良く、楽に短時間で引き出すことができる。
【００３２】
以上のように、この支持装置によれば、シートロールＲからフロアシートを引き出す際、シートロール収納ラック１０の両側に設けた水平支持部１２の被嵌合部１４に、本体フレーム２の嵌合部６を嵌合させて、支持装置１Ｌ，１Ｒを両側に取り付け、シートロール収納ラック１０に収納されていたシートロールＲの両側の芯端部２１を、本体フレーム２の下支持ローラ３上に載置し、その状態で、フロアシートの端部を持って引き出すのみで、シートロールＲが下支持ローラ３と前支持ローラ４により支持されながら、従動回転し、フロアシートを、シートロールＲから軽い引き出し力で、簡単に引き出すことができる。
【符号の説明】
【００３３】
１Ｌ    支持装置
１Ｒ    支持装置
２      本体フレーム
２ａ    半円形凹部
３      下支持ローラ
４      前支持ローラ
５      ガイド部
６      嵌合部
７      側壁部
８      下バー
９      嵌合凸部
１０    シートロール収納ラック
１１    支柱基台
１２    水平支持部
１４    被嵌合部
１５    キャスター
１６    嵌合凹部
１９    台車フレーム
２０    巻取芯
２１    芯端部
Ｒ      シートロール
【図１】
0003227768.tif 000003
【図２】
0003227768.tif 000004
【図３】
0003227768.tif 000005
【図４】
0003227768.tif 000006
【図５】
0003227768.tif 000007
【図６】
0003227768.tif 000008